(57)【要約】【課題】  ユーザデータ領域と付加データ領域とを持ち、ユーザデータ領域と付加データ領域とを区別できるようにシンクパターンを持つ、新たなフォーマットの情報記録媒体及びその再生装置、再生方法を提供することを目的とする。【解決手段】  第１シンクパターンを含む第１サブ付加データ領域と第２シンクパターンを含む第２サブ付加データ領域を含む付加データ領域と、第３シンクパターンを含む第１サブデータ領域を含むデータ領域を含み、前記第１シンクパターンと第２シンクパターンとが相異なり、前記第３シンクパターンは前記第１及び第２シンクパターンと相異なることを特徴とする。【選択図】      図３
2008152918.tif 000002
【特許請求の範囲】
【請求項１】
第１シンクパターンを含む第１サブ付加データ領域と第２シンクパターンを含む第２サブ付加データ領域を含む付加データ領域と、
第３シンクパターンを含む第１サブデータ領域を含むデータ領域を含み、
前記第１シンクパターンと第２シンクパターンとが相異なり、前記第３シンクパターンは前記第１及び第２シンクパターンと相異なることを特徴とする情報貯蔵媒体。
【請求項２】
前記付加データ領域は規格が異なる媒体との互換性のために使用されることを特徴とする請求項１に記載の情報貯蔵媒体。
【請求項３】
第１シンクパターンを含む第１サブ付加データ領域と第２シンクパターンを含む第２サブ付加データ領域を含む付加データ領域と、第３シンクパターンを含む第１サブデータ領域を含むデータ領域を含み、第１シンクパターンと第２シンクパターンが相異なり、第３シンクパターンは第１及び第２シンクパターンと相異なる情報貯蔵媒体を再生する装置において、
ピックアップと、
前記ピックアップを制御して、データ領域に記録されたデータを再生するように制御する制御部と、を含むことを特徴とする再生装置。
【請求項４】
前記付加データ領域は規格が異なる媒体との互換性のために使用されることを特徴とする請求項３に記載に再生装置。
【請求項５】
第１シンクパターンを含む第１サブ付加データ領域と第２シンクパターンを含む第２サブ付加データ領域を含む付加データ領域と、第３シンクパターンを含む第１サブデータ領域を含むデータ領域を含み、第１シンクパターンと第２シンクパターンが相異なり、第３シンクパターンは第１及び第２シンクパターンと相異なる情報貯蔵媒体を再生する方法において、
前記付加データ領域の第１及び第２シンクパターンのうち少なくとも一つのシンクパターンを再生する段階と、
前記データ領域のデータを再生する段階と、を含むことを特徴とする再生方法。
【請求項６】
前記付加データ領域は規格が異なる媒体との互換性のために使用されることを特徴とする請求項５に記載の再生方法。
【発明の詳細な説明】
【技術分野】
【０００１】
本発明は、ユーザデータ領域と付加データ領域とを持つ情報記録媒体及びそれに記録された情報の再生装置、再生方法に係り、詳細には、ユーザデータ領域と付加データ領域とを区別できる構造を改善した情報記録媒体及びその再生装置、再生方法に関する。
【背景技術】
【０００２】
一般的に情報記録媒体、例えば、光ディスクは、非接触式で情報を記録／再生する光ピックアップ装置の情報記録媒体として広く採用される。
【０００３】
この情報記録媒体は、情報記録容量によってコンパクトディスク（ＣＤ）、デジタル多機能ディスク（ＤＶＤ）に区分される。そして、記録可否によって情報の記録、消去及び再生が可能な情報記録媒体と、再生専用情報記録媒体とに区分される。ここで、情報の記録、消去及び再生が可能な情報記録媒体は、６５０ＭＢ  ＣＤ−Ｒ、ＣＤ−ＲＷ、４．７ＧＢ  ＤＶＤ＋Ｒ／ＲＷ、ＤＶＤ−ＲＡＭ、ＤＶＤ−Ｒ／ＲＷ（リライタブル）などがある。そして、再生専用情報記録媒体は、６５０ＭＢ  ＣＤ、４．７ＧＢ  ＤＶＤ−ＲＯＭなどがある。
【０００４】
図１は、従来のＣＤ−Ｒ、ＣＤ−ＲＷのような記録可能型情報記録媒体のデータ構造を表したものである。図１を参照するに、ユーザデータ領域Ａと、このユーザデータ領域Ａの先頭と後尾それぞれに付加データ領域Ｂとを具備した構成を持つ。ここで、ユーザデータ領域Ａは、物理的クラスターにデータが記録された領域である。そして、付加データ領域Ｂは、ランイン領域とランアウト領域とに区分される。
【０００５】
前記付加データ領域Ｂは、前記情報記録媒体をターンテーブルに装着した状態で回転駆動時、スピンドルモーターの速度変動などによって記録時の位置が変わる場合に備えて、余裕領域として備えられる。
【０００６】
一方、前記のようなフォーマット下で、再生専用情報記録媒体を製造する場合、ドライブでの再生互換性及び前記記録可能型情報記録媒体とのフォーマット一貫性を持つために、再生専用情報記録媒体は、前述したような記録可能型情報記録媒体と同じ構造を持つ必要がある。
【０００７】
すなわち、ユーザデータ領域と付加データ領域とを持つ構造を有さねばならない。ここで、付加データ領域は、前記ユーザデータ領域の先頭及び後尾に位置するものであり、図１を参照して説明されたランイン領域とランアウト領域と同じ長さを持つ必要がある。
【０００８】
この場合、前記ユーザデータ領域と前記付加データ領域との区分が必要になる。
【発明の開示】
【発明が解決しようとする課題】
【０００９】
本発明は、前記のような必要性を鑑みてなされたものであり、ユーザデータ領域と付加データ領域とを持ち、ユーザデータ領域と付加データ領域とを区別できるようにシンクパターンを持つ、新たなフォーマットの情報記録媒体及びその再生装置、再生方法を提供するところに目的がある。
【課題を解決するための手段】
【００１０】
前記目的を達成するために、本発明による情報記録媒体は、ユーザデータが記録されるユーザデータ領域と、このユーザデータ領域の前にある領域と後にある領域のうち少なくともいずれか一つの領域に設けられた付加データ領域とを含み、前記付加データ領域で使用する第２シンクパターンが、前記ユーザデータ領域で使用する第１シンクパターンと異なるパターンで形成されることを特徴とする。
【００１１】
また、前記目的を達成するための本発明による情報記録媒体についての情報の記録／再生方法は、備えられた情報記録媒体に対してユーザデータが記録されるユーザデータ領域と、このユーザデータ領域の前にある領域と後にある領域のうち少なくとも一つの領域に付加データ領域を設けるステップと、前記付加データ領域で使用する第２シンクパターンを、前記ユーザデータ領域で使用する第１シンクパターンと異なるパターンで形成するステップと、を含むことを特徴とする。
【発明を実施するための最良の形態】
【００１２】
本発明は添付された図面を参照して詳細に説明され、類似した要素については類似した参照番号が使われる。以下、本発明を説明するために、実施形態を図面を参照して記述する。
【００１３】
図２及び図３を参照するに、本発明の実施形態による情報記録媒体は、ユーザデータが記録されるユーザデータ領域Ｃと、このユーザデータ領域の前及び／または後にある領域に設けられた付加データ領域Ｄとを含む。この情報記録媒体は、記録可能な情報記録媒体または再生専用の情報記録媒体で構成される。
【００１４】
前記ユーザデータ領域Ｃには、複数の第１シンクパターン１３によって区分される複数のユーザデータ１１が設けられている。本発明によれば、このユーザデータ領域Ｃは、基本ＥＣＣ（エラー訂正符号）記録単位で構成されている。
【００１５】
そして、前記付加データ領域Ｄには、複数の第２シンクパターン２３によって区分される複数の付加データ２１が設けられている。ここで、複数の第１シンクパターン１３は、後述する表１及び表２に例示されたような所定シンク番号に該当する変調コードを持つものであり、選択された所定のシンク番号を組合わせて形成される。また、第２シンクパターン２３は、図面符号２３ａ及び２３ｂで表現されたように所定類型のパターンで形成されるものであり、この第２シンクパターン２３は、第１シンクパターン１３と同様に形成される。
【００１６】
そして、第２シンクパターン２３は、第１シンクパターン１３と異なるパターンで形成されている。すなわち、第２シンクパターン２３は、第１シンクパターン１３としては使われないシンクパターンになっている。このように、第２シンクパターン２３を第１シンクパターン１３と区別されるパターンで形成することによって、図４に示すような再生システムで、付加データ領域Ｄを前記ユーザデータ領域Ｃとはっきりと区分して、付加データ領域Ｄを管理できる。
【００１７】
また、付加データ領域Ｄの長さによって第２シンクパターンの数が決定される。一方、必須ではないが、この複数の第２シンクパターンは、同じ間隔で配置されたことが望ましい。このように、等間隔で配置することによって、付加データ領域Ｄの有効付加データ効率を高めることができる。そして、再生時、シンクデータの復旧を容易にする。
【００１８】
必須ではないが、本発明によれば、望ましくは、前記ユーザデータ領域Ｃ内の各ユーザデータ１１の大きさは、前記付加データ領域Ｄ内の各付加データ２１の大きさと同じになっている。このような構造は、第２シンクパターン２３の位置を調整することによって具現できる。
【００１９】
また、前記付加データ領域Ｄ内の付加データ２１の全体大きさは、隣接した二つの第１シンクパターン１３ａ、１３ｂの間に記録されたユーザデータ大きさｄ１の整数倍になっていることが望ましい。すなわち、図２を説明すれば、第２シンクパターン２３ａ、２３ｂの間に記録された付加データ２１は、第１シンクパターン１３ａ、１３ｂの間に記録された前記ユーザデータ大きさｄ１と同じ大きさｄ２を持ち、この付加データ２１が二箇所設けられている。したがって、全体付加データ２１の大きさは、前記ユーザデータ大きさｄ１の整数倍、すなわち、２倍をなす。
【００２０】
このように整数倍で構成することによって、データ再生時、あらゆる領域でシンク信号が常に一定の間隔で検出されるので、シンク信号の復旧側面で有利に作用できる。
【００２１】
以下、ＲＬＬ（ｄ，ｋ）の変調コードを使用する構造を例として、情報記録媒体の具体的な形態を説明する。
【００２２】
ここで、前記ＲＬＬ変調コードは、１ビットと１ビットとの間に０ビットがいくつ存在するかによる変調方式を表すものであり、ＲＬＬ（ｄ，ｋ）は、１ビットと１ビットとの間に存在する０ビットの数、すなわち、ランレングスが最小拘束長ｄ個であり、最大拘束長ｋ個であることを意味する。
【００２３】
一般的にＲＬＬ（ｄ，ｋ）の変調コードを使用する構造で、第１シンクパターンは、ＲＬＬ（ｄ，ｋ）を違反するパターンからなるシンクボディと、ＲＬＬ（ｄ，ｋ）を満足するパターンからなるシンクＩＤ（Ｓｙｎｃ  Ｉｄｅｎｔｉｆｉｃａｔｉｏｎ）とを含む。すなわち、シンクボディは、ｉが１以上の整数を表す時、ランレングスがｋ＋ｉであるパターンを含む。そして、シンクＩＤは、Ｎ個の相異なるシンクパターンを区別するために、相異なるパターンを含む。
【００２４】
また、第２シンクパターンを説明すれば、ＲＬＬ（ｄ，ｋ）を違反するパターンからなるシンクボディと、ＲＬＬ（ｄ，ｋ）を満足するパターンからなるシンクＩＤとを含む。ここで、シンクＩＤは、Ｎ個の相異なるシンクパターンを区別するために、相異なるパターンが入っている。
【００２５】
図３は、付加データ領域Ｄが２個の付加データフレームからなる場合の情報記録媒体のデータ構造を表したものである。このようなデータ構造を持つ情報記録媒体について、シンクボディとシンクＩＤとの実施形態を表１及び表２それぞれに表した。
【００２６】
表１は、ＲＬＬ（１，７）変調コードを使用し、１８ビットシンクボディと、６ビットシンクＩＤとを使用し、ユーザデータ領域のシンクデータとして９個のユーザデータフレームを含み、付加データ領域のシンクデータとして２個のユーザデータフレームを含む場合を表したものである。
【００２７】
【表１】
2008152918.tif 000003
表２は、ＲＬＬ（２，１０）変調コードを使用し、２２ビットシンクボディと、１０ビットシンクＩＤとを使用し、ユーザデータ領域のシンクデータとして７個のユーザデータフレームを含み、付加データ領域のシンクデータとして２個のユーザデータフレームを含む場合を表したものである。
【００２８】
【表２】
2008152918.tif 000004
前記表１及び表２を説明するに、付加データ領域のシンクデータは、前記ユーザデータ領域のシンクデータと異なるパターンで形成されている。すなわち、シンクＩＤを説明する時、第２シンクパターン２３は、第１シンクパターン１３としては使われないシンクパターンからなっている。したがって、付加データ領域Ｄを前記ユーザデータ領域Ｃとはっきりと区分して処理できる。
【００２９】
以下、前記のように構成された情報記録媒体についての情報の記録／再生方法を説明すれば、次の通りである。
【００３０】
図２に示すように、まず準備された記録媒体に基本ＥＣＣ記録単位で構成されたユーザデータ領域Ｃと、このユーザデータ領域の前及び／または後にある領域に付加データ領域Ｄとを備える。次いで、前記付加データ領域Ｄで使用する第２シンクパターン２３を、前記ユーザデータ領域Ｃで使用する第１シンクパターン１３と異なるパターンで形成する。
【００３１】
ここで、第２シンクパターン２３は複数個設けられ、各第２シンクパターン２３は等間隔で配置される。一方、第２シンクパターン２３は、前記ユーザデータ領域Ｃ内の各ユーザデータ１１の大きさと、前記付加データ領域Ｄ内の各付加データ２１の大きさとが同じになるように、前記付加データ領域Ｄ内に配置されることが望ましい。
【００３２】
そして、この付加データ領域Ｄ内のシンクデータは、前述したような変調コードＲＬＬ（ｄ，ｋ）を違反する第２シンクパターンからなるシンクボディと、変調コードＲＬＬ（ｄ，ｋ）を満足する第２シンクパターンからなるシンクＩＤとを含む。また、付加データ領域Ｄ内の付加データ２１の全体大きさは、隣接した二つの第１シンクパターン１３ａ、１３ｂの間に記録されたユーザデータ１１の大きさの整数倍になっている。
【００３３】
明示的に制限されてはいないが、情報記録媒体は、ブルーレイディスク、ＡＯＤ（アドバンストオプティカルディスク）のような次世代高密度ＤＶＤだけでなく、ＣＤ−Ｒ、ＣＤ−ＲＷ、ＤＶＤ−ＲＷ、ＤＶＤ−ＲＡＭ、ＤＶＤ＋ＲＷを含むことができる。
【００３４】
図４は、本発明の実施形態による記録及び／または再生装置のブロックダイヤグラムである。図４を参照するに、記録及び／または再生放置は、記録／再生ユニット１、制御部２、及びメモリ３を含む。記録／再生ユニット１は、本発明の情報記録媒体の実施形態であるディスク１００に／からデータを記録／再生する。制御部２は、図２及び図３と関連して前述したように、本発明によるユーザデータ１１及び付加データ２１を記録及び再生する。
【００３５】
あらゆる面で要求されるものではないが、制御部２は、コンピュータ再生可能な媒体上にエンコーディングされたコンピュータプログラムを使用する方法を実行するコンピュータとして理解できる。コンピュータは、ファームウェアを持つチップで実行できるか、または前記方法を行うようにプログラム化できる一般または特殊目的のコンピュータでありうる。
【００３６】
また、数十ギカバイトの記録容量を達成するために、記録／再生ユニット１は、ディスク１００上に数十ギカバイトのデータを記録する時に使用可能な低波長、高開口数タイプのユニットを含むことができる。このようなユニットの例は、これに限定されるものではないが、４０５ｎｍ波長の光を使用して開口数０．８５を持ち、ブルーレイディスク及び／またはＡＯＤと互換可能である。
【００３７】
本発明は、前記実施形態を参考して特別に図示かつ説明されたが、これは例示的なものに過ぎず、当業者ならば、これより多様な変形及び均等な他の実施形態が可能であり、本発明の真の技術的保護範囲は、特許請求の範囲に記載された発明の技術的思想及びその均等範囲により定められねばならない。
【産業上の利用可能性】
【００３８】
前記のように構成された本発明による情報記録媒体及びその記録／再生方法は、従来の記録可能な情報記録媒体とのフォーマット一貫性を維持でき、ドライブでの再生互換性を持つことができる。
【００３９】
また、ユーザデータ領域と付加データ領域とを持つ構造で、前記のようにシンクパターンを異ならせることによって、ユーザデータ領域と付加データ領域とをさらに効果的に区別できる。
【００４０】
そして、ユーザデータ領域と付加データ領域とに記録されたデータの長さを一定に維持することによって、データ再生時、あらゆる領域でシンク信号が常に一定の間隔で検出されて、シンク信号の復旧側面で有利に作用できる。
【図面の簡単な説明】
【００４１】
【図１】従来のＣＤ−Ｒ、ＣＤ−ＲＷのような記録可能型情報記録媒体のデータ構造を示す図である。
【図２】本発明の実施形態による情報記録媒体の一単位のデータ構造を示す図である。
【図３】本発明の実施形態による情報記録媒体のデータ構造を示す図である。
【図４】本発明の実施形態による記録及び／または再生装置のブロックダイヤグラムである。
【符号の説明】
【００４２】
１      記録／再生ユニット
２      制御部
３      メモリ
１１    ユーザデータ
１２    付加データ
１３、１３ａ、１３ｂ  第１シンクパターン
２１    付加データ
２３、２３ａ、２３ｂ  第２シンクパターン
１００  ディスク
【図１】
2008152918.tif 000005
【図２】
2008152918.tif 000006
【図３】
2008152918.tif 000007
【図４】
2008152918.tif 000008